(57)【特許請求の範囲】
【請求項１】
止水弁（４）を備えると共に、該止水弁（４）を含んで一端部（２Ａ）から他端部（２Ｂ）にかけて内部に貫通孔（２ａ）を備え、一端部（２Ａ）が配管に接続される本体部（２）と、該本体部（２）の貫通孔（２ａ）に対して他端部（２Ｂ）側から挿入され、該他端部（２Ｂ）にて本体部（２）と液密に固定されると共に、先端部（１４）が本体部（２）の一端部（２Ａ）から突出する長さに形成されるノズル部（３）とを備え、しかも、本体部（２）には、前記止水弁（４）の他端部（２Ｂ）側接続部に接続される第１継手（７）と、貫通孔（２ａ）の内面とノズル部（３）の外面とを液密にするためのシール部材（１０）と、第１継手（７）の他端部（２Ｂ）側接続部に接続され、シール部材（１０）が装着される環状溝が第１継手（７）の一端部（２Ａ）側接続部に形成される第２継手（８）と、該第２継手（８）の他端部（２Ｂ）側接続部に接続され、締められることによりノズル部（３）が固定されるコネクタ（９）とが設けられてなることを特徴とする注液装置。
【発明の詳細な説明】
【技術分野】
【０００１】
本発明は、配管内を流通する流体に薬品を注液するための注液装置に関する。
【背景技術】
【０００２】
例えば、熱交換器の冷却水系においては、スケール、スライムあるいは腐食による障害を防止するため、冷却水系を構成する配管内に冷却水処理薬品を注液することが一般的に行われている。図３は、タンクＴ内の薬品をポンプによって送り、配管Ｈに接続されたノズル１’の先端から薬液を吐出させて、該薬品を配管Ｈ内に注液する従来の方法を示す構成図である。
【０００３】
ノズル１’は、配管Ｈに穿設された雌ねじ孔に螺着される本体部２’と、該本体部２’の先端に取り付けられるゴムキャップ３’とからなる例えば株式会社タクミナ製のサイホン止めチャッキ弁であり、ポンプによる薬液の圧送によりゴムキャップ３’の先端に形成された口が開き、薬液が吐出される一方、ポンプを停止すると、該口が閉じ、それ以上の薬液の吐出が規制されると共に、配管Ｈ内の流体の流入も規制されるようになっている。
【発明の開示】
【発明が解決しようとする課題】
【０００４】
しかしながら、上記従来の方法にあっては、ノズル１’の先端と配管Ｈの管内壁との距離が固定であるため、種々の管径の配管に好適に対応することができなかった。即ち、配管内を流通する流体の粘性等によっては、配管の中心位置で薬液を注液したい場合もあるが、上記従来の方法では、これを実現することができない。
【０００５】
また、注液する薬品によっては、注液をしばらく止めると、結晶化してしまうものがあり、これを放っておくと、ゴムキャップ３’が結晶で詰まってしまう。そうなると、ノズル１’を配管Ｈから取り外してゴムキャップ３’を掃除等しなければいけないが、上記従来の方法にあっては、ノズル１’を取り外してから配管Ｈの雌ねじ孔に仮止め用の栓をするまでの僅かな間ではあるけれども、配管Ｈ内の流体が流出してしまうという問題もある。さらに、循環ポンプの運転中など、高い水圧がかかっている状態で、ノズル１’を取り外してしまうと、内圧により配管内の流体が激しく噴出してしまい、配管Ｈの雄ねじ孔に仮止め用の栓をすることすらできない状態になってしまう。
【０００６】
そこで、本発明は、上記問題に鑑みてなされたもので、ノズル部の先端を配管内の径方向における所望の位置にセットすることができると共に、ノズル部のメンテナンスのために該ノズル部を配管から取り外す際、そこから配管内の流体が不用意に流出してしまうのを好適に防止することができる注液装置を提供することを課題とするものである。
【課題を解決するための手段】
【０００７】
本発明は、止水弁４を備えると共に、該止水弁４を含んで一端部２Ａから他端部２Ｂにかけて内部に貫通孔２ａを備え、一端部２Ａが配管に接続される本体部２と、該本体部２の貫通孔２ａに対して他端部２Ｂ側から挿入され、該他端部２Ｂにて本体部２と液密に固定されると共に、先端部１４が本体部２の一端部２Ａから突出する長さに形成されるノズル部３とを備え、しかも、本体部２には、前記止水弁４の他端部２Ｂ側接続部に接続される第１継手７と、貫通孔２ａの内面とノズル部３の外面とを液密にするためのシール部材１０と、第１継手７の他端部２Ｂ側接続部に接続され、シール部材１０が装着される環状溝が第１継手７の一端部２Ａ側接続部に形成される第２継手８と、該第２継手８の他端部２Ｂ側接続部に接続され、締められることによりノズル部３が固定されるコネクタ９とが設けられてなることを特徴とする。
【０００８】
上記構成によれば、本体部２の一端部２Ａからのノズル部３の突出量を定めた状態で本体部２の他端部２Ｂにてノズル部３を本体部２に固定することにより、ノズル部３の先端部１４を配管内の径方向における所望の位置にセットする。一方、ノズル部３をメンテナンスのために取り外す際は、本体部２及びノズル部３の固定を解除してから、最初にノズル部３の先端部１４が止水弁４を越える位置までノズル部３を引き抜き、その時点で止水弁４を弁閉状態とし、しかる後、ノズル部３を完全に引き抜くようにする。ノズル部３の先端部１４が止水弁４を越える位置までのノズル部３の引き抜きに対しては、シール部材１０により、それ以降のノズル部３の引き抜きに対しては、止水弁４により、本体部２の液密状態は維持されるので、ノズル部３を引き抜く途中あるいは引き抜いた後も、配管内の流体が本体部２から不用意に流出してしまうことはない。
【発明の効果】
【０００９】
即ち、本発明は、配管に接続される本体部に対し、ノズル部を突出量を可変にして設けているため、ノズル部の先端を配管内の径方向における所望の位置にセットすることができると共に、本体部が止水弁及びこれよりも上流側（配管から離間する方向）のシール部材の二つを設けるようにしたため、ノズル部のメンテナンスのために該ノズル部を配管から取り外すに当たり、配管内の流体が不用意に流出してしまうのを好適に防止することができる。
【発明を実施するための最良の形態】
【００１０】
以下、本発明の一実施形態に係る注液装置について図１及び図２に基づき説明する。本実施形態に係る注液装置１は、従来のノズル１’に取って代わるもので、配管に穿設された雌ねじ孔に一端部２Ａが着脱自在に接続される本体部２と、該本体部２の一端部２Ａから他端部２Ｂにかけて内部を貫通する貫通孔２ａに対し、脱抜自在に挿入されるノズル部３とで構成される。
【００１１】
本体部２は、止水弁（ボール弁）４と、該止水弁４の二次側（下流側）接続部にニップル５を挟んで接続された取り付けソケット６と、止水弁４の一次側（上流側）接続部に接続された第一継手７と、該第一継手７に接続された第二継手８と、該第二継手８に接続されたコネクタ９とを備えて構成される。
【００１２】
そして、止水弁４（の弁本体及びその内部の弁体）、ソケット６、継手７，８、コネクタ９のそれぞれは、略同一径の貫通孔を有し、これらが連なって前記貫通孔２ａを形成している。尚、止水弁４は、ハンドル４ａを９０度回すことにより、弁閉状態となるので、この場合、貫通孔２ａは途中位置で不連通となる。
【００１３】
一方、ノズル部３は、注入配管系が接続されるソケット１１と、該ソケット１１に接続される六角ニップル１２と、該六角ニップル１２に溶接等で接続されるノズル管１３と、該ノズル管１３の先端に取り付けられるゴムキャップ（ノズルヘッド：例えば従来のものと同等のもの）１４とを備えて構成される。
【００１４】
ノズル管１３は、止水弁４の弁開状態、即ち、止水弁４の弁体の貫通孔を本体部２の貫通孔２ａに一致させて該貫通孔２ａが連通する状態にしてから、該貫通孔２ａに挿入されるもので、先端部が本体部２の一端部２Ａから突出する長さに形成されている。
【００１５】
そして、ノズル管１３は、本体部２のコネクタ９を締めることにより、コネクタ９の貫通孔の内面とノズル管１３の外面との間がシールされ、ここからの液漏れを防止して本体部２に固定され、また、コネクタ９を緩めることにより、本体部２から抜き取ることができる。
【００１６】
ここで、本体部２の第二継手８の貫通孔には、環状溝が形成され、ここにシール部材１０が装着されている。該シール部材１０は、その内径がノズル管１３の外径よりも若干小さく形成されており、第二継手８の貫通孔の内面とノズル管１３の外面との間がシールされ、ここからの液漏れが防止される。従って、本実施形態に係る注液装置１は、ノズル部３を本体部２に固定した状態において、コネクタ９及びシール部材１０の二箇所で本体部２の貫通孔２ａの内面とノズル部３の外面との間がシールされている。
【００１７】
本実施形態に係る注液装置１は、以上の構成からなり、次にその使用方法について説明する。まず、本体部２は、ソケット６の雄ねじを配管に穿設された雌ねじ孔に螺着させることにより、配管に取り付けられる。その際、止水弁４は、配管内の流体が流出しないよう、弁閉状態にしておく。
【００１８】
次に、本体部２の他端部２Ｂ側からノズル部３を貫通孔２ａ内に挿入し、ノズル管１３がシール部材１０を越え且つノズル部３の先端部が止水弁４にまでは到達していない状態を確認してから、ハンドル４ａを回して止水弁４を弁開状態にし、貫通孔２ａを連通状態にしてから、さらにノズル部３を挿入していく。
【００１９】
そして、ノズル部３の先端部が本体部の一端部２Ａから突き出してからもなお、ノズル部３の先端部、即ちゴムキャップ１４が配管内の径方向における所望の位置となれば、ノズル部３の挿入を止め、そこで、コネクタ９を締めて、ノズル部３を本体部２に固定する。これで配管に対する注液装置１のセットが完了し、あとは、従来と同様、ポンプを作動させて、注液処理を行う。
【００２０】
また、例えばゴムキャップ１４を掃除したり、交換したり、点検する等、メンテナンス時には、まず、コネクタ９を緩め、ノズル部３をゆっくりと引き抜いていく。そして、ノズル部３の先端部が止水弁４を越え且つノズル管１３がシール部材１０を越えていない状態を確認して、ハンドル４ａを回して止水弁４を弁閉状態にし、貫通孔２ａを不連通状態にしてから、さらにノズル部３を引き抜く。そうすれば、本体部２は配管に取り付けられたままで、しかも、止水弁４が弁閉状態となっていることにより配管内の流体が流出することなく、ノズル部３のみを本体部（配管）から取り外すことができる。
【００２１】
このように、本実施形態に係る注液装置１によれば、ノズル部３の先端を配管内の径方向における所望の位置にセットすることができると共に、ノズル部３のメンテナンスのために該ノズル部３を配管から取り外す際に、配管内の流体が不用意に流出してしまうのを好適に防止することができるのである。
【００２２】
尚、本発明は、上記実施形態に限定されるものではなく、本発明の要旨を逸脱しない範囲で種々の変更が可能である。
【００２３】
例えば、上記実施形態においては、本体部２、ノズル部３は、それぞれ複数のパーツからなるものであるが、これらをどのようなパーツで構成するかは設計事項の範囲である。
【００２４】
また、上記実施形態においては、ノズル管１３の先端部にゴムキャップ１４を取り付けるようにしているが、このゴムキャップ１４以外のものを取り付けるようにしてもよいし、また、先端部に何も付けないようにしてもよい。後者の場合、ノズル管１３の先端部をノズル状にするようにしてもよい。
【００２５】
また、上記実施形態においては、ノズル部３の引き抜き容易性を考慮して、ゴムキャップ１４の外径をノズル管１３の外径と同等若しくはこれよりも小さく設定しているが、貫通孔２ａを通すことができるのであれば、ゴムキャップ１４は、ノズル管１３よりも外径が大きくなっていてもよい。
【図面の簡単な説明】
【００２６】
【図１】本実施形態に係る注液装置の側面図を示す。
【図２】同断面側面図を示す。
【図３】従来の注液方法を実現する構成の説明図を示す。
【符号の説明】
【００２７】
１…注液装置、２…本体部、２Ａ…一端部、２Ｂ…他端部、２ａ…貫通孔、３…ノズル部、４…止水弁（ボール弁）、１０…シール部材、１３…ノズル管、１４…ゴムキャップ（ノズルヘッド）
【図１】
0004807614.tif 000002
【図２】
0004807614.tif 000003
【図３】
0004807614.tif 000004